(57)【要約】【課題】網膜に映った像の輪郭がはっきりする視認性の高い画像を実現可能な画像表示装置を提供する。【解決手段】画像記憶部５または画像取込み部８の画像データは転送制御手段４を介して画像処理部３に転送される。画像処理部３は画像処理部制御７の設定値に基づいて、目視者の視覚機能の特性に合せて画像データの矯正を行う。画像処理部３で矯正された画像データは画像表示制御手段２を介して画像表示部１に送られて表示される。目視者は画像表示部１に表示される画像データ、つまり画像処理部３で矯正された画像データを視認する。【選択図】      図１
2004178232.tif 000002
【特許請求の範囲】
【請求項１】
画像を目視する目視者の視覚機能の特性に合わせて前記画像を矯正加工する画像処理手段と、前記画像処理手段によって矯正加工された画像を表示する画像表示手段とを有することを特徴とする画像表示装置。
【請求項２】
前記画像を保存する画像記憶手段を含み、前記画像記憶手段に保存された画像を前記画像処理手段によって矯正加工することを特徴とする請求項１記載の画像表示装置。
【請求項３】
前記画像処理手段をネットワーク上のサーバに配設し、前記ネットワークを介して前記サーバとの間で前記画像を送受信することを特徴とする請求項１または請求項２記載の画像表示装置。
【請求項４】
前記画像を取込む取込み手段を含み、前記取込み手段によって取込まれた画像を前記画像処理手段で矯正加工することを特徴とする請求項１から請求項３のいずれか記載の画像表示装置。
【請求項５】
前記取込み手段をネットワーク上に配設したことを特徴とする請求項４記載の画像表示装置。
【請求項６】
前記画像処理手段は、前記目視者の視覚機能の特性に合せて画像を矯正するための眼球特性の逆モデルを用いて少なくとも前記画像内の線幅及び前記画像の形状を変更することを特徴とする請求項１から請求項５のいずれか記載の画像表示装置。
【請求項７】
前記画像処理手段は、前記画像表示手段内の柔軟構造物のレンズの形状を変形して前記画像を矯正加工することを特徴とする請求項１から請求項５のいずれか記載の画像表示装置。
【請求項８】
画像を表示する画像表示装置の画像表示方法であって、前記画像表示装置側に、前記画像を目視する目視者の視覚機能の特性に合わせて前記画像を矯正加工する第１のステップと、前記第１のステップで矯正加工された画像を画像表示手段に表示する第２のステップとを有することを特徴とする画像表示方法。
【請求項９】
前記第１のステップは、画像記憶手段に保存された画像を矯正加工することを特徴とする請求項８記載の画像表示方法。
【請求項１０】
前記第１のステップは、取込み手段によって取込まれた画像を矯正加工することを特徴とする請求項８または請求項９記載の画像表示方法。
【請求項１１】
前記第１のステップは、前記目視者の視覚機能の特性に合せて画像を矯正するための眼球特性の逆モデルを用いて少なくとも前記画像内の線幅及び前記画像の形状を変更することを特徴とする請求項８から請求項１０のいずれか記載の画像表示方法。
【請求項１２】
前記第１のステップは、前記画像表示手段内の柔軟構造物のレンズの形状を変形して前記画像を矯正加工することを特徴とする請求項８から請求項１０のいずれか記載の画像表示方法。
【発明の詳細な説明】
【０００１】
【発明の属する技術分野】
本発明は画像表示装置及びそれに用いる画像表示方法に関し、特に携帯電話、携帯端末及び各種電子機器等の画像表示手段を有する装置において、目視する人物の視力に合わせて画像を矯正する方法に関する。
【０００２】
【従来の技術】
従来、この種の画像表示手段を有する各種電子機器においては、画像の矯正を必要とする人物に対し、画像の解像度の変更、画像やテキストのサイズの拡大、コントラストの高い画像の提供等、視認性向上の介助となる手段を提供している。
【０００３】
例えば、従来の液晶表示装置においては、表示輝度を輝度出力回路から検知して表示特性の補正値を計算し、その補正値を補正テーブルに格納し、出力する画像データを補正テーブルを参照して補正することで、視認し易い画像を常に表示する方法が提案されている（例えば、特許文献１参照）。
【０００４】
また、陰極線管表示装置においては、記憶回路に記憶された各パラメータに基づいて輪郭補正信号及び色補正信号を生成し、輪郭補正信号によって輪郭補正をするとともに、色補正信号によって色信号の増幅度を変更することで、加齢に伴う視覚機能の低下を適性に補正し、高齢者にとって視認しやすい映像を再生する方法が提案されている（例えば、特許文献２参照）。
【０００５】
【特許文献１】
特開平８−３１４４１２号公報（第４，５頁、図１）
【特許文献２】
特開平１１−２８５０２２号公報（第４頁、図１）
【０００６】
【発明が解決しようとする課題】
しかしながら、従来の画像表示手段では、表示されている画像の輪郭等が原画像のままであるので、上述した画像の視認性向上に一定の効果があるものの、抜本的な解決には至っていない。
【０００７】
そこで、本発明の目的は上記の問題点を解消し、網膜に映った像の輪郭がはっきりする視認性の高い画像を実現することができる画像表示装置及びそれに用いる画像表示方法を提供することにある。
【０００８】
【課題を解決するための手段】
本発明による画像表示装置は、画像を目視する目視者の視覚機能の特性に合わせて前記画像を矯正加工する画像処理手段と、前記画像処理手段によって矯正加工された画像を表示する画像表示手段とを備えている。
【０００９】
本発明による画像表示方法は、画像を表示する画像表示装置の画像表示方法であって、前記画像表示装置側に、前記画像を目視する目視者の視覚機能の特性に合わせて前記画像を矯正加工する第１のステップと、前記第１のステップで矯正加工された画像を画像表示手段に表示する第２のステップとを備えている。
【００１０】
すなわち、本発明の画像表示装置は、元の画像に対して画像処理を行うことで実現する。より具体的に説明すると、本発明の画像表示装置では、目視者の眼球特性（例えば、近視、遠視、乱視、色弱等）に合せて画像を矯正するための眼球特性の逆モデルに画像データを通過させることで、または目視者の眼球特性に合せて画像を矯正するための柔軟構造レンズをレンズ駆動部によって形状変化させることで、それぞれ画像の矯正を行っている。
【００１１】
また、本発明の画像表示装置では、画像処理制御部等の画像処理の調整部を有し、調整部によって画像処理の調整を行うことで、個人差のある視力に対して対応することが可能となる。
【００１２】
本発明の画像表示装置では、眼球特性の逆モデル及び画像処理制御部、または柔軟構造レンズ及びレンズ駆動部によって眼球内の焦点位置の調整を行うことで、画像の矯正を行っている。その結果、元の画像は矯正が施されるので、目視者にとって視認性の高い画像が表示される。
【００１３】
上記のように、本発明の画像表示装置では、画像の矯正を必要とする目視者に対して、眼球特性の逆モデルを利用することによって、網膜に映った像の輪郭がはっきりする視認性の高い画像が実現可能となる。
【００１４】
【発明の実施の形態】
次に、本発明の実施例について図面を参照して説明する。図１は本発明の一実施例による画像表示装置の構成を示すブロック図である。図１において、本発明の一実施例による画像表示装置は画像表示部１と、画像表示制御手段２と、画像処理部３と、転送制御手段４と、画像記憶部５と、画像処理制御情報記憶部６と、画像処理制御手段７と、画像取込み部８と、入力部９とから構成されている。
【００１５】
画像記憶部５または画像取込み部８から転送制御手段４によって画像処理部３に画像データが転送されてくると、画像処理部３では画像処理制御手段７の設定に基づいた画像処理が行われる。画像処理制御手段７の設定は画像処理制御情報記憶部６に保存された情報を読込むか、または入力部９から行う。
【００１６】
画像処理部制御手段７の設定情報は画像処理制御情報記憶部６に保存することが可能である。画像処理部３では画像データを加工し、画像表示制御手段２によって、画像表示部１に転送されて表示される。
【００１７】
図２は図１の画像処理部３の構成例を示すブロック図である。図２において、画像処理部３は画像出力部３１と、眼球特性の逆モデル３２と、画像入力部３３と、画像処理制御部３４とから構成されている。
【００１８】
画像入力部３３を介して入力された画像データは、目視者の眼球特性（例えば、近視、遠視、乱視、色弱等の視覚機能の特性）に合せて画像を矯正するための眼球特性の逆モデル３２に転送され、元の画像データに対して画像内の線幅や画像の形状が変更され、目視者に対して視認性の高い画像に加工される。
【００１９】
また、目視者の視認特性に合わせて画像の調整を行う場合には、画像処理制御部３４によって、目視者の視認特性に合せて眼球特性の逆モデル３２における画像内の線幅や画像の形状の変更、画像の輝度（明るさ）の変更が制御される。この場合、画像処理制御部３４による眼球特性の逆モデル３２の制御は、画像処理制御手段７の設定情報、すなわち上記の各変更値に基づいて行われる。
【００２０】
つまり、画像データは眼球特性の逆モデル３２に通過することで、眼球内の焦点位置が調整されるように、画像内の線幅や画像の形状の変更、画像の輝度の変更が行われるが、近視、遠視、乱視、色弱等の視覚機能の特性に合せて画像が加工されるので、画像表示部１に表示される画像の視認性を目視者の眼球特性に合せて向上させることができる。
【００２１】
図３は本発明の一実施例による画像処理手順及び画像処理の設定手順を示すフローチャートである。これら図１〜図３を参照して本発明の一実施例による画像処理手順及び画像処理の設定手順について説明する。
【００２２】
画像記憶部５または画像取込み部８の画像データは転送制御手段４によって画像処理部３へ転送される（図３ステップＳ１）。画像処理部３は画像処理部制御手段７からの設定によって画像処理の実行を行うかどうかの判定を行う（図３ステップＳ２）。
【００２３】
画像処理の実行を行わない場合には、原画像をそのまま画像表示部１に表示するため、画像表示制御手段２へ画像データの転送を行う（図３ステップＳ６，Ｓ７）。また、画像処理の実行を行う場合には、画像処理部制御手段７から設定値を読込むかどうかの判定が行われる（図３ステップＳ３）。設定値を読込む場合、画像処理部制御手段７は画像処理制御情報記憶部６から設定値の読込みを行う（図３ステップＳ４）。設定値を読込まない場合には、設定値を初期動作値とする。
【００２４】
次に、画像データは画像処理部３において、画像処理部制御手段７の設定値に基づいて画像の矯正が行われ（図３ステップＳ５）、画像処理済みの画像データが画像表示制御手段２を介して画像表示部１に表示される（図３ステップＳ６，Ｓ７）。
【００２５】
画像表示部１に表示された画像データを目視者が視認して、画像の視認性を判定する（図３ステップＳ８）。画像の視認性が良好でなければ、画像処理部３の画像矯正の設定を入力部９から変更し、再度、画像データを画像表示部１に表示して視認性を判定する（図３ステップＳ５〜Ｓ９）。
【００２６】
画像の視認性が良好である場合には、画像処理制御部制御手段７の設定を画像処理制御情報記憶部６に保存するかどうかの判定を行う（図３ステップＳ１０）。画像処理部制御手段７の設定を保存する場合には、設定値を画像処理制御情報記憶部６に書き出し（図３ステップＳ１１）、画像処理の設定手順を終了する。画像処理部制御手段７の設定を保存しない場合にも画像処理の設定手順を終了する。
【００２７】
このように、本実施例では、画像データに対して視認者の視覚機能の特性に適した加工を施しているので、画像表示部１に表示される画像の視認性を向上させることができる。
【００２８】
図４は本発明の他の実施例による画像表示装置の構成を示すブロック図である。図４において、本発明の他の実施例による画像表示装置は画像表示部１と、画像表示制御手段２と、転送制御手段４と、画像記憶部５と、画像取込み部８と、入力部９と、画像表示制御情報記憶部１０と、画像表示制御部１１とから構成されている。
【００２９】
画像記憶部５または画像取込み部８から、転送制御手段４によって画像表示制御手段２に画像データが転送されてくると、画像表示制御手段２は画像表示部１に画像を転送する。画像表示部１では画像表示制御部１１の設定に基づいて画像表示が行われる。画像表示制御部１１の設定は、画像表示制御情報記憶部１０に保存された情報を読込むか、または入力部９から行われる。画像表示制御部１１の設定情報は画像表示制御情報記憶部１０に保存することが可能である。
【００３０】
図５は図４の画像表示部１の構成例を示すブロック図である。図５において、画像表示部１は画像出力部２１と、画像入力部２２と、レンズ２３と、レンズ駆動部２４とから構成されている。
【００３１】
画像入力部２２を介して入力された画像データは画像出力部２１に転送されて画像表示される。画像出力部２１に表示された画像はレンズ２３を通過して目視者に視認される。レンズ２３は柔軟構造物で、レンズ制御部２４によってその形状が変形される。したがって、目視者の視認特性に合わせて、レンズ２３の特性の調整が行われ、目視者に対して視認性の高い画像の提供が可能となる。
【００３２】
このように、本実施例では、画像データに対してレンズ２３及びレンズ駆動部２４によって視認者に適した加工を施しているので、画像表示部１に表示される画像の視認性を向上させることができる。
【００３３】
尚、本発明の一実施例及び他の実施例では画像表示装置について述べたが、画像処理部３を図示せぬネットワーク上のサーバに設け、画像記憶部５または画像取込み部８の画像をネットワークを介してサーバとの間で送受信することも可能であり、これらに限定されない。
【００３４】
【発明の効果】
以上説明したように本発明は、画像を表示する画像表示装置において、画像を目視する目視者の視覚機能の特性に合わせて前記画像を矯正加工し、その矯正加工された画像を画像表示手段に表示することによって、網膜に映った像の輪郭がはっきりする視認性の高い画像を実現することができるという効果が得られる。
【図面の簡単な説明】
【図１】本発明の一実施例による画像表示装置の構成を示すブロック図である。
【図２】図１の画像処理部の構成例を示すブロック図である。
【図３】本発明の一実施例による画像処理手順及び画像処理の設定手順を示すフローチャートである。
【図４】本発明の他の実施例による画像表示装置の構成を示すブロック図である。
【図５】図４の画像表示部の構成例を示すブロック図である。
【符号の説明】
１  画像表示部
２  画像表示制御手段
３  画像処理部
４  転送制御手段
５  画像記憶部
６  画像処理制御情報記憶部
７  画像処理制御手段
８  画像取込み部
９  入力部
１０  画像表示制御情報記憶部
１１  画像表示制御部
２１  画像出力部
２２  画像入力部
２３  レンズ
２４  レンズ駆動部
３１  画像出力部
３２  眼球特性の逆モデル
３３  画像入力部
３４  画像処理制御部
【図１】
2004178232.tif 000003
【図２】
2004178232.tif 000004
【図３】
2004178232.tif 000005
【図４】
2004178232.tif 000006
【図５】
2004178232.tif 000007